(57)【要約】【課題】柱を備えたログハウスにおいて、木材の乾燥収縮によって起こる壁上部の最上段のログ材と桁との間の隙間を遮蔽できる構造を提供する。【解決手段】縦に鉄筋４を通して積み上げられるログ材５が土台１と柱２と桁３で囲われた壁面を構成するログハウスにおいて、桁３の下面に両側面寄りに吊り下げ状態に外部遮蔽板７、７を夫々設ける。それらの外部遮蔽板７、７に対して内側から密接状態に最上段のログ材６の内外両壁面側に両内部遮蔽板８、８を固定する。前記外部遮蔽板７、７と内部遮蔽板８、８を密接状態にするに際して、内部遮蔽板８と外部遮蔽板７の対向面に縦に略定間隔を置いて対向蟻溝１０、１１を設けて、それらの対向蟻溝１０、１１に側溝９ａ、９ｂ付きスライド板９を嵌め込んで、前記内部遮蔽板８と前記外部遮蔽板７が上下に移動できるように構成する。【選択図】　　　図３
0003098530.tif 000002
【実用新案登録請求の範囲】
【請求項１】
縦に鉄筋を通して水平に積み上げられるログ材が土台と柱と桁で囲われた壁面を構成するログハウスにおいて、
該桁下面の両側面寄りに平行に設けた両差込み溝に吊り下げ状態に夫々嵌着され、ログ材の乾燥収縮によって生じる隙間を覆う幅以上の長さを有する外部遮蔽板と、
前記外部遮蔽板に対して内側から密接状態となるように内外両壁面側を垂直平面に形成した最上段のログ材とから成るログハウス壁上部の隙間防止構造。
【請求項２】
縦に鉄筋を通して水平に積み上げられるログ材が土台と柱と桁で囲われた壁面を構成するログハウスにおいて、
該桁下面の両側面寄りに平行に設けた両差込み溝に吊り下げ状態に夫々嵌着され、ログ材の乾燥収縮によって生じる隙間を覆う幅以上の長さを有する外部遮蔽板と、
最上段のログ材の内外両壁面側に、前記外部遮蔽板に対して内側から密接状態に取り付けた両内部遮蔽板とから成るログハウス壁上部の隙間防止構造。
【請求項３】
内部遮蔽板と外部遮蔽板の対向面に略定間隔を置いて縦に設けた対向蟻溝と、
前記外部遮蔽板に対して前記内部遮蔽板が上下に移動可能となるように各対向蟻溝に嵌め込まれた側溝付きスライド板とから成る請求項２に記載のログハウス壁上部の隙間防止構造。
【考案の詳細な説明】
【０００１】
【考案が属する技術分野】
本考案は、木材の乾燥収縮によってログハウス壁上部の最上段のログ材と桁との間に生じる隙間を遮蔽するための構造に関する。
【０００２】
【従来技術】
【０００３】
一般的なログハウスでは、ログ材を組んで積み上げるノッチ組み構造で柱がないため、建築時から時間を経るとログ丸太材が乾燥収縮する。そのため、その収縮分だけ壁高が低くなり、上下に積み上げたログ材間には隙間が生じない構造となっている。
しかし近年、ノッチ組みせずにその部分に柱を用いる方式のログハウスが建設されるようになってきた（特許文献１参照）。
【０００４】
そのようなログハウスでは、建築時から時間を経るに従い壁の最上段のログ材と桁材との間に木材乾燥収縮による隙間が発生する難点があった（図６の符号Ｓで示す部分）。
その隙間が大きくなると、冷暖房に悪影響を与えるのみならず虫の侵入や照明の明かり漏れが起こる。
このため、そのようなログハウスは一時的に使用する別荘などでは多く建設されているが、一般住戸には適さないので殆ど普及していない。
【０００５】
【特許文献１】
実開平２−２９０７
【０００６】
【考案が解決しようとする課題】
本考案は、柱を備えたログハウスにおいて、木材の乾燥収縮によって起こる壁上部の最上段のログ材と桁との間の隙間をその乾燥収縮変化に対応しつつ遮蔽できる建築構造を提供するものである。
【０００７】
【課題を解決するための手段】
上記課題を解決するため本考案は、縦に鉄筋を通して水平に積み上げられるログ材が土台と柱と桁で囲われた壁面を構成するログハウスにおいて、そのログハウスの桁下面の両側面寄りに平行に設けた両差込み溝に吊り下げ状態にログ材の乾燥収縮によって生じる隙間を覆う幅以上の長さを有する外部遮蔽板を夫々嵌着する。
そして、最上段のログ材を前記外部遮蔽板に対して内側から密接状態となるように内外両壁面側を夫々垂直平面に形成したものである。
【０００８】
また、請求項２に記載の考案は、ログハウスの桁下面の両側面寄りに平行に設けた両差込み溝に吊り下げ状態にログ材の乾燥収縮によって生じる隙間を覆う幅以上の長さを有する外部遮蔽板を夫々嵌着する。
そして、ログ材の内外両壁面側に、前記外部遮蔽板に対して内側から密接状態に両内部遮蔽板を取り付けて構成されるものである。
【０００９】
さらに、請求項３に記載の考案は、上記請求項２の考案の構成において、内部遮蔽板と外部遮蔽板の対向面に略定間隔を置いて対向蟻溝縦に設ける。
そして、前記外部遮蔽板に対して前記内部遮蔽板が上下に移動可能となるように側溝付きスライド板を各対向蟻溝に嵌め込んで構成されるものである。
【００１０】
【考案の実施の形態】
本考案の実施の形態を以下詳しく説明する。
本考案は、数本縦に鉄筋４を通して水平に積み上げられるログ材５が土台１と柱２と桁３で囲われた壁面を構成するログハウス（従来の構造である図６を参照）の改良に関するものである。そのようなログハウスの壁面では積み上げられたログ材５の両端は柱２に設けられた縦溝１７に嵌まりログ材５が上下に移動できるようになっている。
本考案では、ログ材５を積み上げた最上段のログ材６と桁材３との間の隙間Ｓの周囲部分について以下の構造にするものである。
まず、図１に示すように、桁３の下面に両側面寄りに平行に設けた両差込み溝１２、１３に吊り下げ状態に、ログ材の乾燥収縮によって生じる隙間を覆う幅以上の長さを有する外部遮蔽板７、７を夫々嵌着する。それらの外部遮蔽板７、７は桁３に接着剤や釘１４で固定する。
【００１１】
そして、前記外部遮蔽板に対して最上段のログ材６を内側から密接状態となるように内外両壁面側を夫々垂直平面６ａに形成し、その外部遮蔽板７、７とログ材の内外両壁面部分の垂直面６ａとを密接させて前記隙間Ｓを覆い隠す。
【００１２】
また、請求項２に記載の考案の形態は、図２に示すように、ログハウスの桁３下面の両側面寄りに平行に設けた両差込み溝１２、１３に吊り下げ状態にログ材の乾燥収縮によって生じる隙間を覆う幅以上の長さを有する外部遮蔽板７、７を夫々嵌着し、最上段のログ材６の内外両壁面側に、前記外部遮蔽板に対して内側から密接状態に両内部遮蔽板８、８を釘１５で固定する。
用いるログ材は丸太などのものがあるが、この図２ではＬ型のログ材５を用いた態様を示し、最上段のログ材６は内部遮蔽板８、８を張るためその下に使用するログ材５の両側の部分を垂直面にしたものを用いた態様である。
【００１３】
さらに、請求項３に記載の考案の形態は、図３に示すように、前記外部遮蔽板７、７又は内部遮蔽板８、８の乾燥収縮による板反りにより密接状態であったものが開いてしまうのを防ぐためのもので、前記外部遮蔽板７、７と内部遮蔽板８、８を密接状態にするに際して、内部遮蔽板８と外部遮蔽板７の対向面に縦に略定間隔を置いて対向蟻溝１０、１１を設けて、それらの対向蟻溝１０、１１に側溝９ａ、９ｂ付きスライド板９を嵌め込んで、前記内部遮蔽板８と前記外部遮蔽板７が上下に密接移動できるようにする。
なお、この図３では、前記スライド板９を内部遮蔽板８、８に対して釘１６で固定し、前記外部遮蔽板７に対しては固定しないで上下に移動できるようにするとスライド板９の外れ落ちが防げる。
【００１４】
【作用】
上記構成の本考案の作用を以下説明する。
積み上げたログ材５が木材乾燥収縮変化すると、積み上げたログ材５の最上段のログ材６が下がり、桁３との間の隙間Ｓが広がる（隙間Ｓが図４の状態から図５の状態になる）。
桁３側の外部遮蔽板７、７は固定されているので、最上段のログ材６の垂直平面６ａが密接状態のまま下がる。したがって隙間Ｓは密閉状態が維持される。
【００１５】
また、請求項２に記載の考案では、最上段のログ材６に固定した内部遮蔽板８、８で、大きな隙間Ｓに対して、より確実に外部遮蔽板７、７とともに遮蔽対応が可能となる。
【００１６】
さらに、請求項３に記載の考案では、対向蟻溝１０、１１へのスライド板９の嵌め込みで、対向蟻溝１１内をスライド板９が上下にスライドしつつ密接状態を維持できる（隙間Ｓが図４の状態から図５の状態になる）。そのため、外部遮蔽板７、７又は内部遮蔽板８、８の乾燥収縮による板反りによって両者が離れてしまうのを防ぐことができる。
【００１７】
【考案の効果】
本考案は、上記構造のため、積み上げたログ材が木材の乾燥収縮変化して最上段のログ材と桁との間の隙間が広がっても、その隙間を最上段のログ材と外部遮蔽板と密接状態で収縮変化に追随しつつ完全に遮蔽できる。
また、対向蟻溝内にスライド板を嵌め込んだ形態では、外部遮蔽板又は内部遮蔽板が乾燥収縮で板反りを起こそうとしても密接状態を維持させて隙間の遮蔽を行うことが可能となる。
このため、その隙間からの室内の冷暖房による空気の流出が防止されるので、電気や灯油の浪費をなくして快適な室内温度を維持することが可能となる。
また隙間からの虫の侵入や室内の照明の明かり漏れも完全に防止できるようになった。このため、これからは一般住戸にもログハウスが普及知ることが期待される。
【図面の簡単な説明】
【図１】本考案の縦断斜視図。
【図２】別の形態の縦断斜視図。
【図３】さらに、別の形態の縦断斜視図。
【図４】要部の縦断側面図。
【図５】隙間が広がった状態を示す要部の縦断側面図。
【図６】従来の構造の縦断側面図。
【符号の説明】
１　　土台
２　　柱
３　　桁
４　　縦鉄筋
５　　ログ材
６　　最上段のログ材
６ａ　ログ材の垂直面
７　　外部遮蔽板
８　　内部遮蔽板
９　　スライド板
９ａ　側溝
９ｂ　側溝
１０　　蟻溝
１１　　蟻溝
１２　　溝
１３　　溝
１４　　釘
１５　　釘
１６　　釘
１７　　縦溝
Ｓ　　隙間
【図１】
0003098530.tif 000003
【図２】
0003098530.tif 000004
【図３】
0003098530.tif 000005
【図４】
0003098530.tif 000006
【図５】
0003098530.tif 000007
【図６】
0003098530.tif 000008